(57)【要約】  本発明は、標準の壁アングルトリムを傾斜した天井の構築に使用するために適応するための、ブラケットおよびその使用方法を提供する。開示されたブラケットの配設は、傾斜した天井の頂部端部または底部端部に、使用することができ、任意の実際の天井の傾斜の角度に適合するように調整することができる。開示された実施形態では、ブラケットは、長方形の平坦な鋼製薄板の形状を有する。薄板は、その中間部で縦方向に続く蝶番部または折り曲げ線を有する。折り曲げ線は、その長さ方向に沿って断続的に薄板を切り欠くことによって作成され、これによって薄板は２つの領域に分割される。切り欠きは、例えば、細長い長孔を、ブラケットに成型される素材の折り曲げ線に沿って打ち抜き加工することによって作成されてもよい。ブラケット素材には、素材の２つの領域の周辺部分に、縦方向に分散された、複数の孔も打ち抜き加工される。
2013506779.tif 000002
【特許請求の範囲】
【請求項１】
標準の吊り天井の壁アングルを、所望の天井の傾斜に対応する角度で壁に付随させるための金属薄板のブラケットであって、前記ブラケットは、概して長方形の輪郭で、概して平坦な構成でスタンプ加工され、前記ブラケットは、前記輪郭の中間区域の前記ブラケットを大きい領域と小さい領域に分割するその長手方向に沿った折り曲げ線であって、前記ブラケットを形成する前記金属薄板における強度を弱められた部分によって形成される折り曲げ線と、各領域において、前記ブラケットを壁アングルまたは壁に付随させるためのネジを受け入れる複数の孔と、を含む、ブラケット。
【請求項２】
前記強度が弱められた部分が、前記ブラケットを形成する前記金属薄板を貫通する断続的な切り欠きにより作成される、請求項１に記載の金属薄板のブラケット。
【請求項３】
前記切り欠きが、前記ブラケットを形成する前記金属薄板を貫通する細長い長孔を形成する、請求項２に記載の金属薄板のブラケット。
【請求項４】
前記ブラケットが、タブを係合する壁アングルを含む、請求項１に記載の金属薄板のブラケット。
【請求項５】
前記ブラケットが、前記領域の各々の上に一体型の壁アングル係合タブを含む、請求項４に記載の金属薄板のブラケット。
【請求項６】
前記領域が、圧延成形された金属薄板壁アングルの辺の長手方向端部上のへりを把持するキャッチを含む、請求項５に記載の金属薄板のブラケット。
【請求項７】
前記小さい領域が折り曲げ線上で１８０°に近い角度に曲げられたとき、前記大きい領域上の前記孔が、前記小さい領域により遮られない、請求項１に記載の金属薄板のブラケット。
【請求項８】
傾斜した吊り天井のための、壁アングルの装着を容易にする方法であって、長方形の輪郭を有する金属薄板のブラケットをスタンプ加工するステップと、前記ブラケットの前記輪郭の中間部分を通って縦方向に延在する折り曲げ線を、前記線に沿って前記金属薄板の強度を弱くすることによって形成するステップと、前記折り曲げ線の１つの側に、少なくとも従来の格子Ｔ型部材の高さと同じ幅の１つの領域と、前記折り曲げ線の前記１つの領域と反対側に、おおよそ標準の壁アングルの辺の幅の幅を有するもう１つの領域とを前記ブラケットに提供するステップと、前記１つの領域および前記第２の領域の両方に、前記ブラケットを前記壁アングルの辺および壁に付随させるためにネジ締結具を受け入れる孔を打ち抜き加工するステップと、前記壁アングルを前記天井の傾斜角度で配置された下方の辺で支持するように前記ブラケットを一致させるために、設置作業者が現場で前記ブラケットを現地折り曲げすることができるように、前記ブラケットを平坦な状態で建設業界に流通させるステップと、を含む方法。
【発明の詳細な説明】
【技術分野】
【０００１】
本出願は、２００９年１０月１日に出願された、米国仮特許出願第６１／２４７，７４４号明細書の優先権を主張する。
【０００２】
本発明は、吊り天井構築様式に関し、具体的には傾斜した吊り天井を構築するための付属品に関する。
【背景技術】
【０００３】
吊り天井は、その多用途性および経済性により、商業建造物に広く用いられている。通常、これらの天井は、平行な主Ｔ型部材、および交差する交差Ｔ型部材から作成される四角い格子と、これらのＴ型部材の間の空間に組み込まれたパネルまたはタイルとから成る。天井が壁と交わるところでは、Ｔ型部材の端部は、一般的に細長い壁アングルによって支持される。通常、圧延成型された金属薄板材である壁アングルは、一般的にＴ型部材の面と釣り合いが取れて調和した外観を伴う、水平な露出された辺すなわち面を有する。Ｔ型部材の端部を支持することに加えて、水平な辺は、仕上がった外観のために、これらの端部を隠蔽するように機能する。壁アングルは、通常、その垂直な辺を貫通して通された長手方向に離間した締結具により壁に固定される。その後天井パネルが取り付けられたときには、垂直な辺および締結具は、視界から隠蔽される。
【発明の概要】
【発明が解決しようとする課題】
【０００４】
傾斜した天井は、異なる建築的効果を得るために使用され、かつ昼光照明を改善し、ＬＥＥＤ（登録商標）Ｃｒｅｄｉｔ  ＥＱ−８．１に貢献するために使用することができる。標準化された吊り天井構成要素は、傾斜した天井を構築するために使用することができる。しかしながら、傾斜した天井では、標準化された壁アングルの従来の装着は、傾斜した天井については、天井の底部および／または頂部において、外観的および／または機能的に容認できない可能性がある。
【課題を解決するための手段】
【０００５】
本発明は、標準の壁アングルトリムを傾斜した天井の構築様式に使用するために適応するための、ブラケットおよびその使用方法を提供する。開示されたブラケットの配設は、傾斜した天井の頂部端部または底部端部に、使用することができ、任意の実際の天井の傾斜の角度に適合するように調整することができる。開示された実施形態では、ブラケットは、長方形の平坦な鋼製薄板の形状を有する。薄板は、その中間部分で縦方向に続く蝶番部または折り曲げ線を有する。折り曲げ線は、その長さ方向に沿って断続的に薄板を切り欠くことによって作成され、これによって薄板は２つの領域に分割される。切り欠きは、例えば、細長い長孔を、ブラケットに成型される素材の折り曲げ線に沿って打ち抜き加工することによって作成されてもよい。ブラケット素材には、素材の２つの領域の周辺部分に、縦方向に分散された、複数の孔もまた打ち抜き加工される。
【０００６】
弱められた蝶番部または折り曲げ線により、ブラケットは２つの平面に曲げることができ、一方は壁と整列し、一方は１つの辺が所望の天井傾斜面となるように壁アングルを支持する。傾斜の底部において、ブラケットが壁アングルを保持するところで、傾斜角度に対応する角度でブラケットは折り曲げられ、ブラケットが壁アングルを傾斜の頂部において保持するところで、ブラケットは１８０°より傾斜角度だけ少ない角度と等しい角度に折り曲げられる。全ての場合において、完成した天井では、壁へのブラケットの取り付けは視野から隠される。
【０００７】
好適には、薄板の折り曲げ線の反対側の領域は、ブラケットが１８０°近く折り曲げられまたは曲げられたときに、壁に締結される領域が十分に幅広く、そのため、その締結孔がもう一方の領域または隣接する壁アングルの辺によって遮られないように比率配分されている。
【０００８】
本発明の一実施形態は、折り曲げ線を形成する細長い長孔、およびブラケットを壁アングルおよび壁にしっかりと留めるためのネジ、ポップリベット、または他の締結具のための一連の小さい孔が打ち抜き加工された、単純な平坦な長方形の板の形状をとる。別の実施形態では、ブラケットは、ここでも長方形の金属薄板にスタンプ加工されるが、一体的に形成された、上向きまたは下向きの傾斜天井端部の条件のいずれにおいても壁アングルをしっかりと把持するように調和された機能部を含む。
【図面の簡単な説明】
【０００９】
【図１】本発明の応用を図示する傾斜した天井のいくぶん概略図的な部分断面立面図である。
【図２】本発明にしたがって構成された壁アングルブラケットの第１の実施形態の平面図である。
【図３】天井がそこから上向きに傾斜する、天井の端部で壁アングルを支持するために使用されるブラケットの斜視図である。
【図４】天井がそこから下向きに傾斜する、天井の端部で壁アングルを支持するために使用されるブラケットの斜視図である。
【図５】本発明の壁アングルブラケットの第２の実施形態の平面図である。
【図６】ブラケットの第２の実施形態の端面図である。
【図７】天井がそこから上向きに傾斜する、天井の端部で壁アングルを支持するために使用される第２の実施形態のブラケットの斜視図である。
【図８】天井がそこから下向きに傾斜する、天井の端部で壁アングルを支持するために使用される第２の実施形態のブラケットの斜視図である。
【発明を実施するための形態】
【００１０】
第１図では、主Ｔ型部材１０の連続が示され、図面の平面の上方または下方にある他の平行な主Ｔ型部材とともに、介在する交差Ｔ型部材（図示せず）と連携して、概して従来の方法で吊り天井１１の格子を形成する。Ｔ型部材は壁アングル１３上で支持されるその端部１２を有する。ブラケット１４は、それぞれの壁１６において壁アングル１３を支持する。図示された天井の傾斜は１５°であるが、傾斜は、例えば１０°と２５°との間の範囲とすることができ、またはこれらの限界よりもいくぶん小さいもしくは大きい範囲にさえもすることができることが理解されるであろう。必要に応じて、Ｔ型部材１０の端部１２を壁アングル１３に固定するために、業界で周知の耐震クリップを使用することができる。
【００１１】
標準の壁アングルを傾斜天井の取り付けに使用することができ、それによって天井の低端部および高端部のための、この天井構成要素の特注製作を避けることが望ましい。本発明のブラケットは、標準の壁アングルを傾斜に対応する任意の角度で支持することにより、この目的のために機能する。より具体的には、１７で示される壁アングルの下の辺が、傾斜した天井の面と平行になるように、ブラケットは壁アングルを支持する。
【００１２】
標準の壁アングルは、幅が呼び寸法で７／８インチの側面すなわち辺１７、１８を有し、一般的に１０フィートまたは１２フィートで供給される（またはメートル単位の同等物）。主Ｔ型部材１０は、一般的に、呼び寸法で１〜１／２インチ高さで、Ｔ型部材のかかる寸法が天井の周辺、特にその下端に順応することが望ましい。
【００１３】
具体的には、図２を参照すると、本発明の調節可能なブラケット１４の第１の実施形態が示される。ブラケット１４は、例えば、０．０２４インチの溶融亜鉛メッキＨＤＧ  Ｇ６０／Ｇ４０の軟状態の鋼で、永久変形するように曲げることができる、金属薄板スタンプ加工品である。ブラケット１４は、長方形の輪郭、およびその厚さを貫通して切り取られた一連の細長い断続的な長孔２２により形成された、長手方向に延在する折り曲げ線２１を有する。短いランド、すなわち切り取られていない部分２３は、ブラケット１４に適切な曲げ強度を残す。折り曲げ線２１は、ブラケットの輪郭の長手方向の中心からずれており、大きい領域２４と小さい領域２６とをもたらす。好適には、大きい領域２４の幅は、少なくとも１〜１／２インチである。一連の長手方向に離間した孔２８は、各領域２４、２６内で、そのそれぞれの長手方向の自由端から離間して打ち抜き加工される。以下の説明から理解されるであろうように、両方の領域における孔２８は、ブラケット１４を壁１６に、または壁アングル１３にしっかりと留めるために用いることができる。
【００１４】
ブラケット１４は、その図示された平坦な状態で製造される。通常、天井が設置される現場において、領域２４および２６が構築される天井の角度に関する角度で相互に交差する平面に永久変形するように、ブラケット１４は折り曲げ線２１上において手で折り曲げられる。図３および図４を検討すると、上向きに延在する天井の端部にブラケット１４が配置されるとき、折り曲げが傾斜角度と同じであることが明らかになる。あるいは、下向きに延在する天井の端部にブラケットが配置されるとき、ブラケットは１８０°から傾斜角度を引いたものと実質的に同じである角度に折り曲げられる（図４）。どちらの場合でも、精密な角度は天井の傾斜の角度に依存する。天井の下方の端部における大きい曲げ角度は、ブラケット１４を天井の平面の上方に位置させ、したがってほとんど視界に入らないようにすることができる。視野に入ることを最小限にするために、壁アングル１３は、ブラケット１４の壁側の上に取り付けることができる。
【００１５】
ブラケット１４は、セルフドリリングネジまたはポップリベットにより壁アングルに付随させることができる。ブラケットは、２フィート以下の中心間隔で配置すべきである。通常、ブラケット１４は、壁に付随させる前に壁アングルに付随させることができる。締結具は、関連する領域２６または２４の一連の孔の中に組み付けることができる。ブラケット１４が下方端部に使用され、製作された孔が壁アングルとブラケットを互いに固定するために使用される場合、ブラケットを所望の角度に折り曲げる前にブラケットは壁アングルにしっかりと留められる。
【００１６】
図１に示すように、ブラケット１４の大きい領域２４は、格子Ｔ型部材の端部が壁アングル１３に当接するところで、標準の格子Ｔ型部材１０の３１で示される上端部に対する隙間を提供するほど十分に幅広い。さらに、図４に示唆されるように、大きい領域２４は、十分に幅広く、孔２８は折り曲げ線２１から少なくとも小さい領域２６の幅と同じ大きさの距離だけ離間しており、これによって、天井の下方端部の用途では、締結具を受け入れるために、小さい領域に遮られることなく孔２８はアクセス可能である。
【００１７】
小さい領域２６は、折り曲げ線２１から測定して、壁アングル１３の側面すなわち辺１８の幅とほぼ等しく、好適にはこの寸法以下の幅を有する。
【００１８】
ここで、図５〜図８を参照すると、傾斜した吊り天井に使用される調整可能なブラケット４０の第２の実施形態が示される。ブラケット４０は、概して長方形の輪郭で本来形成され、好適には、ブラケット１４に関して上述のように、軟鋼の薄板材からスタンプ加工される。図６に最も明確に示されるように、ブラケット４０は、別個の締結具を用いずにブラケットを壁アングルにしっかりと留め、かつブラケットを硬化させることができるようにする、一体成型された機能部を除いて、概して平板状である。ブラケット４０形成される素材から切り取られた離間した細長い長孔４１の列は、薄板の強度を弱めて、折り曲げ線４２を作成する。折り曲げ線４２は、ブラケットを大きい領域４３と小さい領域４４とに分割する。孔４６は、領域４３、４４のそれぞれの長手方向自由端部４７、４８に隣接して、ブラケットを壁１６、または所望する場合は壁アングル１３に付随させる目的で、領域４３、４４内に打ち抜き加工される。
【００１９】
領域４３および領域４４の両方は、これらのそれぞれの領域において、ブラケット４０の本体または素材の周辺部分をスタンプ加工された、または切り取られた一対の長方形のタブ５１、５２を含む。タブ５１、５２の各々は、そのそれぞれの領域４３、４４の平面から離間した平面に位置するように形成される。図６に示されるように、タブ５１、５２は、それらのそれぞれの領域４３、４４にウェブ５３、５４により接続されたままである。
【００２０】
各タブ５１、５２には、キャッチまたはフック５６が、タブ本体にスタンプ加工されて組み込まれる。キャッチ５６は、周辺のタブ材料の面の上方に突出する端部５７、および周辺のタブ材料の面から端部５７への斜面またはカム面５８を含む。
【００２１】
ブラケット４０の長手方向と平行な補強リブ５９が、各領域４３、４４にスタンプ加工される。リブは、領域が相互に対して折り曲げ線４２上において折り曲げられたときに、領域４３、４４を平坦に保持する補助となる。
【００２２】
ブラケット４０は、上記に説明したブラケット１４と同様に、折り曲げ線４２上において天井の傾斜に適するように永久的に折り曲げられる。上記に説明したブラケット１４の場合のように、これは現地、すなわち建造物の建設現場において手で行うことができる。
【００２３】
図７を参照すると、上方に傾斜する天井端部に対して、ブラケット４０は傾斜と同じ角度で曲げられる。大きい領域４３は、壁アングルの上向きの辺１８を大きい領域４３の主部とタブ５１との間に差し込むことにより、壁アングル１３にしっかりと留められる。キャッチ５６は、斜面部分５８の楔に似た外形により、壁アングルの辺１８の長手方向の端部に沿って、へり６１を滑らせて超えて捕捉し、これにより、ブラケット４０を壁アングルに効率的にしっかりと留める。その位置を壁の構築に適合するように調整するために、ブラケット４０を壁アングルに沿って移動することができることに留意すべきである。ブラケット４０は、大きい領域４３に組み込まれた孔４６のうちの任意の１つの中における１本のネジにより、壁アングル上の定位置に固着することができる。
【００２４】
ブラケット１４と同様に、下方へ傾斜した天井端部に対しては、ブラケット４０は、１８０°よりも傾斜角度だけ少ない角度に折り曲げられる。ブラケット４０は、壁アングル上の辺１８をタブ５２と小さい領域４４の主部との間で滑動することにより、壁アングルにしっかりと留められる。キャッチ５６は、へり６１の上にはめて固着することにより、ブラケット４０を壁アングル１３上に保持する。大きい領域４３は、ネジまたは他の締結具によって孔４６を通して組み付けることによって壁にしっかりと留められる。壁への組み付けの前に、ブラケット４０は、壁アングル１３の縦方向に移動することができるが、一方でキャッチ５６により壁アングルにしっかりと留められる。
【００２５】
ブラケット１４または４０は、必要に応じて、主ランナーの端部における図１の２０における想像線で示す耐震クリップの組立を容易にできるように、天井１１の主ランナーまたはＴ型部材１０の間のどこかで、壁１６に装着することができる。天井の傾斜角が比較的大きく、下方天井端部において、壁アングル１２と壁１６との間に間隙が存在する場合、ブラケット１４または４０のいずれかとともに、壁に対して通常の方法で間隙を隠蔽するために追加の壁アングルを取り付けることができる。これは、最初に行うことができ、傾斜した壁アングルをともなうブラケット１４または４０は、最初の壁アングルの上に取り付けることができる。
【００２６】
本発明は、その特定の実施形態に関して示されかつ説明されてきたが、これは、制限ではなく、むしろ例示を目的とするものであり、本明細書に示されかつ説明された特定の実施形態他の変形および改良は、全てが本発明の意図される精神および範囲内であることが当業者には明白であろう。したがって、本特許は、本明細書に示されかつ説明された具体的な実施形態の範囲および効果にも、本発明により当該技術の進歩がそこまで向上する範囲と適合しない任意の他の手段にも制限されない。
【図１】
2013506779.tif 000003
【図２】
2013506779.tif 000004
【図３】
2013506779.tif 000005
【図４】
2013506779.tif 000006
【図５】
2013506779.tif 000007
【図６】
2013506779.tif 000008
【図７】
2013506779.tif 000009
【図８】
2013506779.tif 000010
【国際調査報告】
2013506779.tif 000011
2013506779.tif 000012